(57)【要約】  本発明は、ユーザ機器間通信のための方法及びユーザ機器を提供する。該方法は、ユーザ機器（ＵＥ）が第１の周波数点の物理制御チャネルリソースを決定するステップと、ＵＥが第１の周波数点の物理制御チャネルで第１の制御情報を送信するステップを有する。ここで、第１の制御情報は、第２の周波数点の周波数点指示情報及び／又はリソース指示情報を含み、第２の周波数点の周波数点指示情報は、第２の周波数点を示すことに用いられ、第２の周波数点の周波数点指示情報は、第２の周波数点で割り当てられた／予約されたリソースを示すことに用いられる。
2021532695.tif 000002
【特許請求の範囲】
【請求項１】
ユーザ機器（ＵＥ）は、第１の周波数点の物理制御チャネルのリソースを決定するステップと、
前記ＵＥは、前記第１の周波数点の物理制御チャネルで第１の制御情報を送信するステップと、を有する、ユーザ機器間の通信のための方法であって、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、方法。
【請求項２】
前記第１の制御情報は、さらに、前記第１の周波数点の周波数点指示情報及び／又はリソース指示情報を含み、前記第１の周波数点の周波数点指示情報は、前記第１の周波数点を示すことに用いられ、前記第１の周波数点のリソース指示情報は、前記第１の周波数点で割り当てられた／予約されたリソースを示すことに用いられる、請求項１に記載の方法。
【請求項３】
前記ＵＥが前記第１の周波数点の物理制御チャネルで第２の制御情報を送信するステップをさらに有し、
前記第２の制御情報は、前記第１の周波数点の周波数点指示情報及び／又はリソース指示情報を含み、前記第１の周波数点の周波数点指示情報は、第１の周波数点を示すことに用いられ、前記第１の周波数点のリソース指示情報は、第１の周波数点で割り当てられた／予約されたリソースを示すことに用いられる、請求項１に記載の方法。
【請求項４】
前記第１の制御情報と前記第２の制御情報のフォーマット又はサイズが同じであり、又は前記第１の制御情報と第２の制御情報のフォーマット及びサイズが両方とも異なる、請求項３に記載の方法。
【請求項５】
前記第１の制御情報と前記第２の制御情報のフォーマット又はサイズが同じである場合、
前記第１の制御情報における独立した領域は、周波数点指示情報及び／又はリソース指示情報として用いられる、又は、
前記第１の制御情報におけるリザーブドビット（ｂｉｔ）は、周波数点指示情報及び／又はリソース指示情報として用いられる、又は、
前記第１の制御情報における設定された領域は、周波数点指示情報及び／又はリソース指示情報として用いられる、又は、
周波数点指示情報及び／又はリソース指示情報が、前記第１の制御情報のうちの少なくとも１つの他の領域と共同符号化される、又は、
周波数点指示情報及び／又はリソース指示情報が、第１の制御情報の巡回冗長検査ＣＲＣのスクランブル処理に用いられる、
請求項３に記載の方法。
【請求項６】
前記物理制御チャネルは、物理サイドリンク制御チャネル（ＰＳＣＣＨ）を含み、前記第２の周波数点で割り当てられた／予約されたリソースは、ＰＳＣＣＨリソース、又は物理サイドリンク共有チャネル（ＰＳＳＣＨ）リソース、又はＰＳＣＣＨリソースとＰＳＳＣＨリソースを含む、請求項１〜５のいずれか１項に記載の方法。
【請求項７】
請求項６に記載の方法であって、前記ＵＥが第１の制御情報を送信した後、さらに、
前記第２の周波数点のＰＳＳＣＨでデータを送信すること、又は、
前記第２の周波数点のＰＳＣＣＨで制御データを送信すること、又は、
前記第２の周波数点のＰＳＳＣＨでデータを送信し、かつＰＳＣＣＨで制御データを送信することを含む、請求項６に記載の方法。
【請求項８】
前記ＵＥが以下の方式、即ち、
上位層の構成に応じて、前記第１の周波数点及び／又は第２の周波数点を決定する方式、
サービスの要求に応じて、前記第１の周波数点及び／又は第２の周波数点を選択する方式、
設定の優先順位に応じて、前記第１の周波数点及び／又は第２の周波数点を選択する方式、
信号強度又は品質に応じて、前記第１の周波数点及び／又は第２の周波数点を選択する方式、
周波数点の干渉状況又は占有率に応じて、前記第１の周波数点及び／又は第２の周波数点を選択する方式、
ネットワーク構成に応じて、前記第１の周波数点及び／又は第２の周波数点を決定する方式、
前記第１の周波数点及び／又は第２の周波数点をランダムに選択する方式、
擬似ランダム関数に応じて、前記第１の周波数点及び／又は第２の周波数点を決定する方式、
のうちの１つ又は複数の方式で第１の周波数点及び／又は第２の周波数点を決定するステップをさらに有する、請求項１〜５のいずれか１項に記載の方法。
【請求項９】
各周波数点は、１つのキャリア（ＣＣ）、又は１つの帯域幅部分（ＢＷＰ）、又はリソースプールである、請求項１〜５のいずれか１項に記載の方法。
【請求項１０】
ユーザ機器間通信のための方法であって、
ユーザ機器（ＵＥ）が第１の周波数点で物理制御チャネルをセンシング及び／又はリスニングし、第１の制御情報を取得するステップを有し、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、方法。
【請求項１１】
前記物理制御チャネルは、物理サイドリンク制御チャネル（ＰＳＣＣＨ）を含み、前記第２の周波数点で割り当てられた／予約されたリソースは、ＰＳＣＣＨリソース、又は物理サイドリンク共有チャネル（ＰＳＳＣＨ）リソース、又はＰＳＣＣＨリソースとＰＳＳＣＨリソースを含む、請求項１０に記載の方法。
【請求項１２】
前記ＵＥは、前記第１の制御情報の指示に基づいて、前記第２の周波数点の物理サイドリンク制御チャネルＰＳＣＣＨをリスニングし、復調して第３の制御情報を取得するステップ、又は、
前記ＵＥは、前記第１の制御情報の指示に基づいて、前記第２の周波数点の物理サイドリンク共有チャネルＰＳＣＣＨを受信するステップ、又は、
前記ＵＥは、前記第１の制御情報の指示に基づいて、前記第２の周波数点のＰＳＣＣＨをリスニングし、復調して第３の制御情報を取得し、かつ第２の周波数点のＰＳＳＣＨを受信するステップを、さらに有する請求項１０に記載の方法。
【請求項１３】
前記第３の制御情報は、第２の周波数点のＰＳＳＣＨリソース指示情報を含む、請求項１２に記載の方法。
【請求項１４】
前記ＵＥは、前記第３の制御情報の指示に基づいて、第２の周波数点のＰＳＳＣＨを受信するステップ、又は、
前記ＵＥは、前記第３の制御情報に示される前記第２の周波数点のＰＳＳＣＨリソースを、第１の制御情報に示される前記第２の周波数点のＰＳＳＣＨリソースと比較し、両者が異なる場合、プリセット動作を実行するステップを、さらに有する請求項１３に記載の方法。
【請求項１５】
前記ＵＥは、前記第１の制御情報及び／又は第３の制御情報に示される周波数点から１つ又は複数の周波数点を選択して、ＰＳＳＣＨを受信するステップをさらに有する、請求項１２に記載の方法。
【請求項１６】
前記ＵＥは、優先順位、サービス品質（ＱｏＳ）、伝送モードのうちの少なくとも１つに基づいて、１つ又は複数の周波数点を選択して、ＰＳＳＣＨを受信する、請求項１５に記載の方法。
【請求項１７】
前記ＵＥは、第２の周波数点での利用可能なリソースを報告するステップをさらに有する、請求項１０〜１６のいずれか１項に記載の方法。
【請求項１８】
前記第１の周波数点は、第１のｓｉｄｅｌｉｎｋ伝送モードの周波数点であり、前記第２の周波数点は、第２のｓｉｄｅｌｉｎｋ伝送モードの周波数点であり、又は、前記第１の周波数点及び前記第２の周波数点は、いずれも第１のｓｉｄｅｌｉｎｋ伝送モードの周波数点である、請求項１０〜１６のいずれか１項に記載の方法。
【請求項１９】
プロセッサと送受信機を備えるユーザ機器であって、
前記プロセッサは、第１の周波数点の物理制御チャネルリソースを決定することに用いられ、
前記送受信機は、前記第１の周波数点の物理制御チャネルで第１の制御情報を送信することに用いられ、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、ユーザ機器。
【請求項２０】
前記送受信機は、さらに、前記第１の周波数点の物理制御チャネルで第２の制御情報を送信することに用いられ、
前記第２の制御情報は、前記第１の周波数点の周波数点指示情報及び／又はリソース指示情報を含み、前記第１の周波数点の周波数点指示情報は、第１の周波数点を示すことに用いられ、前記第１の周波数点のリソース指示情報は、第１の周波数点で割り当てられた／予約されたリソースを示すことに用いられる、請求項１９に記載のユーザ機器。
【請求項２１】
前記物理制御チャネルは、物理サイドリンク制御チャネル（ＰＳＣＣＨ）を含み、
前記第２の周波数点で割り当てられた／予約されたリソースは、ＰＳＣＣＨリソース、又は物理サイドリンク共有チャネル（ＰＳＳＣＨ）リソース、又はＰＳＣＣＨリソースとＰＳＳＣＨリソースを含む、
請求項１９に記載のユーザ機器。
【請求項２２】
前記送受信機は、第１の制御情報を送信した後、さらに、前記第２の周波数点のＰＳＳＣＨでデータを送信すること、又は第２の周波数点のＰＳＣＣＨで制御情報を送信すること、又は第２の周波数点のＰＳＳＣＨでデータを送信し、かつＰＳＣＣＨで制御情報を送信することに用いられる、請求項２１に記載のユーザ機器。
【請求項２３】
前記プロセッサは、さらに、以下の方式、即ち、
上位層の構成に応じて、前記第１の周波数点及び／又は第２の周波数点を決定する方式、
サービス要求に応じて、前記第１の周波数点及び／又は第２の周波数点を選択する方式、
設定された優先順位に応じて、前記第１の周波数点及び／又は第２の周波数点を選択する方式、
信号強度又は品質に応じて、前記第１の周波数点及び／又は第２の周波数点を選択する方式、
周波数点の干渉状況又は占有率に応じて、前記第１の周波数点及び／又は第２の周波数点を選択する方式、
ネットワーク構成に応じて、前記第１の周波数点及び／又は第２の周波数点を決定する方式、
ランダムに又は擬似ランダム関数に応じて、前記第１の周波数点及び／又は第２の周波数点を決定する方式、
のうちの１つ又は複数の方式で第１の周波数点及び／又は第２の周波数点を決定することに用いられる、請求項１９〜２２のいずれか１項に記載のユーザ機器。
【請求項２４】
送受信機を備えるユーザ機器であって、
前記送受信機は、第１の周波数点で物理制御チャネルをセンシング及び／又はリスニングするための第１のユニットと、
物理制御チャンネルから第１の制御情報を取得するための第２のユニットと、を備え、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、ユーザ機器。
【請求項２５】
前記送受信機は、第３のユニットをさらに備え、
前記第３のユニットは、前記第１の制御情報の指示に基づいて、第２の周波数点の物理サイドリンク制御チャネル（ＰＳＣＣＨ）をリスニングし、復調して第３の制御情報を取得すること、又は第２の周波数点の物理サイドリンク共有チャネル（ＰＳＳＣＨ）を受信すること、又は第２の周波数点のＰＳＣＣＨをリスニングし、復調して第３の制御情報を取得し、かつ第２の周波数点のＰＳＳＣＨを受信することに用いられる、
請求項２４に記載のユーザ機器。
【請求項２６】
前記第３の制御情報は、前記第２の周波数点のＰＳＳＣＨリソース指示情報を含む、請求項２５に記載のユーザ機器。
【請求項２７】
プロセッサをさらに備え、第３の制御情報の指示に基づいて、前記送受信機を制御し、第２の周波数点のＰＳＣＣＨを受信すること、又は前記第３の制御情報に示される前記第２の周波数点のＰＳＳＣＨリソースを、第１の制御情報に示される前記第２の周波数点のＰＳＳＣＨリソースと比較し、両者が異なる場合、プリセット動作を実行することに用いられる、請求項２６に記載のユーザ機器。
【請求項２８】
前記プロセッサは、さらに、前記第１の制御情報及び／又は第３の制御情報に示される周波数点から１つ又は複数の周波数点を選択して、ＰＳＳＣＨを受信することに用いられ、請求項２７に記載のユーザ機器。
【請求項２９】
前記プロセッサは、優先順位、サービス品質（ＱｏＳ）、伝送モードのうちの少なくとも１つに基づいて、１つ又は複数の周波数点を選択して、ＰＳＳＣＨを受信する、請求項２８に記載のユーザ機器。
【請求項３０】
前記送受信機は、さらに、第２の周波数点での利用可能なリソースを報告することに用いられる、請求項２４〜２９のいずれか１項に記載のユーザ機器。
【請求項３１】
プロセッサによって実行されると、請求項１〜１８のいずれか１項に記載のユーザ機器間通信のための方法が実現されるコンピュータプログラムが記憶された、コンピュータ可読記憶媒体。
【発明の詳細な説明】
【技術分野】
【０００１】
本開示は、通信技術分野に関し、特に、ユーザ機器間通信のための方法及びユーザ機器に関する。
【背景技術】
【０００２】
長期進化（Ｌｏｎｇ  Ｔｅｒｍ  Ｅｖｏｌｕｔｉｏｎ、ＬＴＥ）システムは、第１２のバージョンであるＲｅｌｅａｓｅ１２からサイドリンク（ｓｉｄｅｌｉｎｋ）をサポートして以来、ユーザ機器（Ｕｓｅｒ  Ｅｑｕｉｐｍｅｎｔ、ＵＥ）間の直接通信を可能にする。ユーザ機器間の直接通信は複数のコンポーネントキャリア（Ｃｏｍｐｏｎｅｎｔ  Ｃａｒｒｉｅｒ、ＣＣ）を介して行う必要がある場合、受信側ＵＥは、各コンポーネントキャリア毎に物理サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）をセンシングし、かつブラインド検出して、各ＣＣに割り当てられた／予約されたリソースの指示情報を得る必要がある。
【０００３】
ｓｉｄｅｌｉｎｋは半二重通信であるため、ＵＥが１つのＣＣで情報を送信するとき、特に、２つのＣＣが同じ周波数帯域（ｆｒｅｑｕｅｎｃｙ  ｂａｎｄ）内に存在した場合、ＵＥが他のＣＣで受信できなくなる可能性がある。さらに、ＵＥは、異なるＣＣ間でジャンプするとき、関連ＣＣ間での送受信ができなくなる。これらにより、受信側ＵＥが複数のＣＣで独立したセンシングやブラインド検出を行うとき、送受信衝突が発生し、ＵＥの複数ＣＣ間の送受信が制限されることになる。
【０００４】
ｓｉｄｅｌｉｎｋシステムに設定されたＣＣ数がＵＥの同時受信又は送信可能なＣＣ数を超えると、ＵＥが検知または受信するＣＣ数が制限されるため、ＵＥは、他のＵＥから送信されたデータを逃してしまい、且つ、利用可能なすべてのスペクトルリソースを十分に利用できなくなり、最適なリソースを選択してデータを送受信することができなくなる。
【０００５】
ＵＥは、ｓｉｄｅｌｉｎｋを使用してＶ２Ｘ（Ｖｅｈｉｃｌｅ  ｔｏ  ｅｖｅｒｙｔｈｉｎｇ）サービスを行う場合、典型的な動作方式は、ＬＴＥのＣＣのような一部のＣＣで、基本的なセキュリティサービスを実行し、新無線（Ｎｅｗ  Ｒａｄｉｏ、ＮＲ）のＣＣのような他のＣＣで、高度（自動）運転、センサー拡張などの低遅延、データ量の大きい高度なＶ２Ｘサービスをサポートする。ＵＥがサポートする同時受信又は送信可能なＣＣ数が足りない場合、いくつかのＣＣで基本サービスのみを長時間リスニングするしかできないため、高度なＶ２Ｘサービスが実行できなくなる。
【発明の概要】
【発明が解決しようとする課題】
【０００６】
本開示の実施形態は、ユーザ機器間の通信のための方法及びユーザ機器を提供する。本開示のいくつかの態様の基本を理解するために、以下に概略的に説明する。この概略部分は、一般的なコメントではなく、肝心な／重要な構成要素を特定したり、これらの実施形態の保護範囲を説明したりするものでもない。その唯一の目的は、後述の詳細な説明の書き出しとして、簡単な形でいくつかの概念を提示することである。
【課題を解決するための手段】
【０００７】
第１の態様では、ユーザ機器間の通信のための方法を提供する。該方法は、ＵＥが第１の周波数点の物理制御チャネルリソースを決定するステップと、前記ＵＥが前記第１の周波数点の物理制御チャネルで第１の制御情報を送信するステップとを有する。前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる。
【０００８】
任意選択的に、前記第１の制御情報は、前記第１の周波数点の周波数点指示情報及び／又はリソース指示情報をさらに含む。前記第１の周波数点の周波数点指示情報は、前記第１の周波数点を示すことに用いられ、前記第１の周波数点のリソース指示情報は、前記第１の周波数点で割り当てられた／予約されたリソースを示すことに用いられる。
【０００９】
任意選択的に、前記方法は、前記ＵＥが前記第１の周波数点の物理制御チャネルで第２の制御情報を送信するステップをさらに有する。前記第２の制御情報は、前記第１の周波数点の周波数点指示情報及び／又はリソース指示情報を含み、前記第１の周波数点の周波数点指示情報は、前記第１の周波数点を示すことに用いられ、前記第１の周波数点のリソース指示情報は、前記第１の周波数点で割り当てられた／予約されたリソースを示すことに用いられる。
【００１０】
任意選択的に、前記第１の制御情報と前記第２の制御情報のフォーマット又はサイズが同じであり、又は前記第１の制御情報と第２の制御情報のフォーマット及びサイズが両方とも異なる。
【００１１】
任意選択的に、前記第１の制御情報と第２の制御情報のフォーマット又はサイズが同じである場合、前記第１の制御情報における独立した領域は、周波数点指示情報及び／又はリソース指示情報として使用される、又は前記第１の制御情報におけるリザーブビット（ｒｅｓｅｒｖｅｄ  ｂｉｔ）は、周波数指示情報及び／又はリソース指示情報として使用される、又は第１の制御情報において設定された領域は、周波数点指示情報及び／又はリソース指示情報として使用される、又は周波数点指示情報及び／又はリソース指示情報は、前記第１の制御情報のうちの少なくとも１つの他の領域と共同符号化される、又は周波数点指示情報及び／又はリソース指示情報は、第１の制御情報の巡回冗長検査（Ｃｙｃｌｉｃ  Ｒｅｄｕｎｄａｎｃｙ  Ｃｈｅｃｋ、ＣＲＣ）のスクランブル処理に用いられる。
【００１２】
任意選択的に、前記物理制御チャネルは、物理サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）を含む。前記第２の周波数点で割り当てられた／予約されたリソースは、ＰＳＣＣＨリソース、又は物理サイドリンク共有チャネル（Ｐｈｙｓｉｃａｌ  Ｓｉｄｅｌｉｎｋ  Ｓｈａｒｅｄ  Ｃｈａｎｎｅｌ、ＰＳＳＣＨ）リソース、又はＰＳＣＣＨリソースとＰＳＳＣＨリソースを含む。
【００１３】
任意選択的に、前記ＵＥは、第１の制御情報を送信した後、前記第２の周波数点のＰＳＳＣＨでデータを送信すること、又は前記第２の周波数点のＰＳＣＣＨで制御情報を送信すること、又は前記第２の周波数点のＰＳＳＣＨでデータを送信し、かつＰＳＣＣＨで制御情報を送信することをさらに含む。
【００１４】
任意選択的に、前記方法は、さらに、ＵＥが以下の方式、即ち、
上位層の構成に応じて、前記第１の周波数点及び／又は第２の周波数点を決定する方式、
サービス需要に応じて、前記第１の周波数点及び／又は第２の周波数点を選択する方式、
設定の優先順位に応じて、前記第１の周波数点及び／又は第２の周波数点を選択する方式、
信号強度又は品質に応じて、前記第１の周波数点及び／又は第２の周波数点を選択する方式、
周波数点の干渉状況又は占有率に応じて、前記第１の周波数点及び／又は第２の周波数点を選択する方式、
ネットワーク構成に応じて、前記第１の周波数点及び／又は第２の周波数点を決定する方式、
前記第１の周波数点及び／又は第２の周波数点をランダムに選択する方式、
擬似ランダム関数に応じて、前記第１の周波数点及び／又は第２の周波数点を決定する方式、
のうちの１つ又は複数の方式で第１の周波数点及び／又は第２の周波数点を決定するステップを有する。
【００１５】
第２の態様は、ユーザ機器間の通信のための方法を提供する。該方法は、ＵＥが第１の周波数点で物理制御チャネルをセンシング及び／又はリスニングして、第１の制御情報を取得するステップを有する。前記第１の制御情報は、第２の周波数点の周波数点指示情報及び／又はリソース指示情報を含む。前記第２の周波数点の周波数点指示情報は、第２の周波数点を示すことに用いられ、前記第２の周波数点のリソース指示情報は、第２の周波数点で割り当てられた／予約されたリソースを示すことに用いられる。
【００１６】
任意選択的に、前記物理制御チャネルは、ＰＳＣＣＨを含む。前記第２の周波数点で割り当てられた／予約されたリソースは、ＰＳＣＣＨリソース、又はＰＳＳＣＨリソース、又はＰＳＣＣＨリソースとＰＳＳＣＨリソースを含む。
【００１７】
任意選択的に、前記方法は、前記ＵＥが前記第１の制御情報の指示に基づいて、前記第２の周波数点のＰＳＣＣＨをリスニングし、復調して第３の制御情報を取得するステップ、又は前記ＵＥが前記第１の制御情報の指示に基づいて、前記第２の周波数点のＰＳＳＣＨを受信するステップ、又は前記ＵＥが前記第１の制御情報の指示に基づいて、前記第２の周波数点のＰＳＣＣＨをリスニングし、復調して第３の制御情報を取得し、かつ前記第２の周波数点のＰＳＳＣＨを受信するステップを有する。
【００１８】
任意選択的に、前記第３の制御情報は、前記第２の周波数点のＰＳＳＣＨのリソース指示情報を含む。
【００１９】
任意選択的に、前記方法は、さらに、前記ＵＥが前記第３の制御情報の指示に基づいて、前記第２の周波数点のＰＳＣＣＨを受信するステップ、又は前記ＵＥは、前記第３の制御情報に示される前記第２の周波数点のＰＳＳＣＨリソースを、第１の制御情報に示される前記第２の周波数点のＰＳＳＣＨリソースと比較し、両者が異なる場合、プリセット動作を実行するステップを有する。
【００２０】
任意選択的に、前記方法は、さらに、前記ＵＥが、前記第１の制御情報及び／又は第３の制御情報に示される周波数点から１つ又は複数の周波数点を選択して、ＰＳＳＣＨを受信するステップを有する。
【００２１】
任意選択的に、前記ＵＥは、優先順位、サービス品質（Ｑｕａｌｉｔｙ  ｏｆ  Ｓｅｒｖｉｃｅ、ＱｏＳ）、伝送モードのうちの少なくとも１つに基づいて、１つ又は複数の周波数点を選択して、ＰＳＳＣＨを受信する。
【００２２】
任意選択的に、前記方法は、さらに、前記ＵＥが第２の周波数点での利用可能なリソースを報告するステップを有する。
【００２３】
任意選択的に、前記第１の周波数点は第１のｓｉｄｅｌｉｎｋ伝送モードの周波数点であり、前記第２の周波数点は第２のｓｉｄｅｌｉｎｋ伝送モードの周波数点である、又は、前記第１の周波数点及び前記第２の周波数点はいずれも第１のｓｉｄｅｌｉｎｋ伝送モードの周波数点である。
【００２４】
第３の態様は、プロセッサ及び送受信機を備えるＵＥを提供する。前記プロセッサは、第１の周波数点の物理制御チャンネルリソースを決定することに用いられ、前記送受信機は、前記第１の周波数点の物理制御チャンネルで第１の制御情報を送信することに用いられる。前記第１の制御情報は、第２の周波数点の周波数点指示情報及び／又はリソース指示情報を含み、前記第２の周波数点の周波数点指示情報は、第２の周波数点を示すことに用いられ、第２の周波数点のリソース指示情報は、第２の周波数点で割り当てられた／予約されたリソースを示すことに用いられる。
【００２５】
任意選択的に、前記送受信機は、前記第１の周波数点の物理制御チャンネルで第２の制御情報を送信するためにも用いられる。前記第２の制御情報は、前記第１の周波数点の周波数点の指示情報及び／又はリソース指示情報を含む。前記第１の周波数点の周波数点指示情報は、第１の周波数点を示すことに用いられ、前記第１の周波数点のリソース指示情報は、前記第１の周波数点で割り当てられた／予約されたリソースを示すことに用いられる。
【００２６】
任意選択的に、前記物理制御チャネルは、ＰＳＣＣＨを含む。前記第２の周波数点で割り当てられた／予約されたリソースは、ＰＳＣＣＨリソース、又はＰＳＳＣＨリソース、又はＰＳＣＣＨリソースとＰＳＳＣＨリソースを含む。
【００２７】
任意選択的に、前記送受信機は、第１の制御情報を送信した後、前記第２の周波数点のＰＳＳＣＨでデータを送信すること、又は前記第２の周波数点のＰＳＣＣＨで制御情報を送信すること、又は第２の周波数点のＰＳＳＣＨでデータを送信し、かつＰＳＣＣＨで制御情報を送信することにも用いられる。
【００２８】
任意選択的に、前記プロセッサは、以下の方式、即ち、
上位層の構成に応じて、前記第１の周波数点及び／又は第２の周波数点を決定する方式、
サービス要求に応じて、前記第１の周波数点及び／又は第２の周波数点を選択する方式、
設定された優先順位に応じて、前記第１の周波数点及び／又は第２の周波数点を選択する方式、
信号強度又は品質に応じて、前記第１の周波数点及び／又は第２の周波数点を選択する方式、
周波数点の干渉状況又は占有率に応じて、前記第１の周波数点及び／又は第２の周波数点を選択する方式、
ネットワーク構成に応じて、前記第１の周波数点及び／又は第２の周波数点を決定する方式、
ランダム又は擬似ランダム関数に応じて、前記第１の周波数点及び／又は第２の周波数点を決定する方式、
のうちの１つ又は複数の方式で第１の周波数点及び／又は第２の周波数点を決定することに用いられる。
【００２９】
第４の態様は、送受信機を備えるＵＥを提供する。前記送受信機は、第１の周波数点で物理制御チャネルをセンシング及び／又はリスニングするための第１のユニットと、物理制御チャンネルから第１の制御情報を取得するための第２のユニットを備える。前記第１の制御情報は、第２の周波数点の周波数点指示情報及び／又はリソース指示情報を含む。前記第２の周波数点の周波数点指示情報は、第２の周波数点を示すことに用いられ、前記第２の周波数点のリソース指示情報は、第２の周波数点で割り当てられた／予約されたリソースを示すことに用いられる。
【００３０】
任意選択的に、前記送受信機は、さらに、第３のユニットを備える。該第３のユニット、前記第１の制御情報の指示に基づいて、前記第２の周波数点のＰＳＣＣＨをリスニングし、復調して第３の制御情報を取得すること、又は第２の周波数点のＰＳＳＣＨを受信すること、又は前記第２の周波数点のＰＳＣＣＨをリスニングし、復調して第３の制御情報を取得し、かつ第２の周波数点のＰＳＳＣＨを受信することに用いられる。
【００３１】
任意選択的に、前記第３の制御情報は、前記第２の周波数点のＰＳＳＣＨのリソース指示情報を含む。
【００３２】
任意選択的に、さらに、前記ＵＥはプロセッサを備える。該プロセッサは、前記第３の制御情報の指示に基づいて、送受信機を制御し前記第２の周波数点のＰＳＣＣＨを受信すること、又は前記第３の制御情報に示される前記第２の周波数点のＰＳＳＣＨリソースを、前記第１の制御情報に示される前記第２の周波数点のＰＳＳＣＨリソースと比較し、両者が異なる場合、プリセット動作を実行することに用いられる。
【００３３】
任意選択的に、前記プロセッサは、さらに、前記第１の制御情報及び／又は第３の制御情報に示される周波数点から１つ又は複数の周波数点を選択して、ＰＳＳＣＨを受信することに用いられる。
【００３４】
任意選択的に、前記プロセッサは、優先順位、ＱｏＳ、伝送モードのうちの少なくとも１つに基づいて、１つ又は複数の周波数点を選択して、ＰＳＳＣＨを受信する。
【００３５】
任意選択的に、前記送受信機は、第２の周波数点での利用可能なリソースを報告することに用いられる。
【００３６】
第５の態様は、送受信機、プロセッサ、バス、及びメモリを備えるＵＥを提供する。送受信機は、他のＵＥとの双方向通信に用いられ、プロセッサは、前記第１の態様におけるＵＥの対応する機能の実行をサポートするように構成され、メモリはプロセッサに結合され、第１の態様におけるＵＥに必要なプログラムコマンドとデータを記憶する。
【００３７】
第６の態様は、送受信機、プロセッサ、バス、及びメモリを備えるＵＥを提供する。送受信機は、他のＵＥとの双方向通信ことに用いられ、プロセッサは、前記の第２の態様におけるＵＥの対応する機能の実行をサポートするように構成される。メモリは、プロセッサに結合され、第２の態様におけるＵＥに必要なプログラムコマンドとデータを記憶する。
【００３８】
第７の態様は、プロセッサによって実行されると、前記のいずれか１つの態様におけるＵＥ機器間通信のための方法が実現されるコンピュータプログラムが記憶されたコンピュータ可読記憶媒体を提供する。
【発明の効果】
【００３９】
本開示の実施形態では、送信端ＵＥは、周波数点にわたってリソース割当又は予約を行うことができ、受信端ＵＥは、そのうちの１つの周波数点においてのみリソースセンシング及びブラインド検出を行うことにより、他の周波数点のリソース割当又は予約結果を取得することができ、これにより、ＵＥの複数の周波数点における送受信機能が制限され、ＵＥ間の送受信機能がマッチングしない等の問題を解決することができる。単一のＵＥの場合、１つの周波数点で他の周波数点のリソース割当／予約結果を取得することにより、複数の周波数点のそれぞれ独立したリソースセンシングによる送受信衝突問題を回避することができる。ＵＥは任意の周波数点にキャンプオンして他の周波数点のリソース割当／予約結果を取得できるため、ＵＥを割り当てて異なる周波数点でリソースセンシングを実行することにより、複数の周波数点間の負荷均衡をサポートして、干渉を回避することができ、ＵＥが最適な周波数帯に送受信を行うことに有利である。ＵＥがｓｉｄｅｌｉｎｋを使用しＶ２Ｘサービスを行うとき、ＵＥの複数の周波数点における送受信機能が制限されても、異なるＶ２Ｘサービスが同時に行われることを保障することができる。
【図面の簡単な説明】
【００４０】
【図１】ＵＥ間通信の選択可能なフローチャート図である。
【図２】送信側ＵＥの選択可能なブロック図である。
【図３】受信側ＵＥの選択可能なブロック図である。
【図４】送信側ＵＥの他の選択可能なブロック図である。
【図５】受信側ＵＥの他の選択可能なブロック図である。
【図６】ＵＥ間通信の選択可能な概略図である。
【図７】ＵＥ間通信の選択可能な概略図である。
【図８】ＵＥ間通信の選択可能な概略図である。
【発明を実施するための形態】
【００４１】
なお、以上の一般的な説明及び以下の詳細な記載は、例示的、解釈的なものであり、本開示を限定するものではない。
【００４２】
図面は、明細書に組み込まれ、本明細書の一部を構成し、本開示に適合する実施形態を示し、明細書とともに、本開示の原理を説明するために使用される。
【００４３】
以下の説明及び図面は、当業者がそれらを実施できるように、本開示の具体的な実施例を十分に例示している。その他の実施形態は、構造的、論理的、電気的、プロセス的、及びその他の変更を含むものであり得る。実施例は、選択可能な変形のみを表す。明確に要求されない限り、単独の部品と機能は任意選択であり、かつ操作手順は異なる場合がある。いくつかの実施例の部分及び特徴は、他の実施形態の部分及び特徴に含まれるか、又はそれらの代わりになり得る。特許請求の範囲、及びそのあり得るすべての等価物は、本開示の権利範囲に属するものとする。本明細書において、実施形態は、単に便宜上の用語「開示」によって個別にまたは集合的に示されてもよく、１つ以上の実施形態が実際に開示される場合、適用の範囲を任意の単一の実施形態または実施形態の概念に自動的に限定するものではない。本明細書において、「第１の」、「第２の」などのような関連用語は、一つの実体または用語を他の実体または用語と区別するために使用されるだけであり、実体または用語間に実際の関連または順序があることを要求または暗示するものではない。また、用語「含む」、「備える」又はそれらの任意の他の変形形態は、非排他的な包含をカバーするように意図され、したがって、一連の要素を含むプロセス、方法、物品、又は装置は、それらの要素だけでなく、明示的に列挙されていない他の要素も含み、又はそのようなプロセス、方法、物品、又は装置に固有の要素も含む。これ以上の制限がない場合、「……を含む」という表現によって限定される要素は、その要素を含むプロセス、方法、物品、又は装置内に他の同一の要素がさらに存在することを除外しない。本明細書における各実施例は、漸進的に記載されており、各実施例は他の実施例との相違点を中心に説明されている。各実施例間で同一又は類似の部分については、互いに参照されていればよい。実施例に提供された方法、製品等について、本開示の実施形態に記載の方法部分に対応するため、該説明は比較的簡単であり、関連する箇所については方法部分を説明すればよい。
【００４４】
本開示の実施形態は、第３世代パートナシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）、３ＧＰＰ  ＬＴＥ、高度ＬＴＥ（ＬＴＥ−Ａ）、第３世代パートナシッププロジェクト２（３ｒｄ  Ｇｅｎｅｒａｔｉｏｎ  Ｐａｒｔｎｅｒｓｈｉｐ  Ｐｒｏｊｅｃｔ２、３ＧＰＰ２）、電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ、ＩＥＥＥ）８０２などのうちの少なくとも１つの無線アクセスシステムに開示された規格文書によってサポートされることができる。本開示の技術的特徴を説明するための説明されていないステップ又は部分は、それらの文書によってサポートされてもよい。さらに、本開示の用語は、すべて規格文書によって解釈され得る。
【００４５】
本明細書において、ＵＥは、Ｖ２Ｘ通信規格に規定される自動車、運転者の携帯端末及び歩行者の携帯端末を含む。さらに、Ｖ２Ｘ通信規格に規定されるロードサイドユニット（Ｒｏａｄ  Ｓｉｄｅ  Ｕｎｉｔ、ＲＳＵ）も、特に説明されていない限り、本開示のＵＥであり得る。
【００４６】
本明細書において、送信側の第１のユーザ機器（ＵＥ１）、受信側の第２のユーザ機器（ＵＥ２）及び第３のユーザ機器（ＵＥ３）は、まとめてＵＥと呼ばれる。
【００４７】
本明細書において、周波数点は広く理解されるべきである。例えば、各周波数点は、１つのＣＣ、又は、１つの帯域幅部分（Ｂａｎｄｗｉｄｔｈ  ｐａｒｔ、ＢＷＰ）、又は、１つのリソースプールなどとして理解されてもよい。
【００４８】
本明細書では、符号「／」は、「又は」の関係を示し、「Ａ及び／又はＢ」は、Ａ、若しくはＢ、若しくはＡとＢ、という３つのケースを示す。例えば、「第１の周波数点及び／又は第２の周波数点」は、第１周波数点、若しくは第２周波数点、若しくは第１の周波数点と第２の周波数点を意味する。「周波数点指示情報及び／又はリソース指示情報」は、周波数点指示情報、若しくはリソース指示情報、若しくは周波数点指示情報とリソース指示情報を意味する。
【００４９】
本明細書において、周波数点指示情報は、相応する周波数点を示すことに用いられる。例えば、第１の周波数点の周波数点指示情報は、第１の周波数点を示すことに用いられる。第２の周波数点の周波数点指示情報は、第２の周波数点を示すことに用いられる等々。
【００５０】
本明細書において、リソース指示情報は、相応する周波数点／チャネルで割り当てられた／予約されたリソースを示すことに用いられる。例えば、第１の周波数点のリソース指示情報は、第１の周波数点で割り当てられた／予約されたリソースを示すことに用いられる。第２の周波数点のリソース指示情報は、第２の周波数点で割り当てられた／予約されたリソースを示すことに用いられる。
【００５１】
図１は１つの選択可能なユーザ機器間の通信のための方法を示している。
【００５２】
ステップ１１：ＵＥ１は、第１の周波数点の物理制御チャネルのリソースを決定する。
【００５３】
異なる通信システムによって、異なる標準規格において、多種の物理制御チャネルがある。本明細書において、物理制御チャネルは、物理層のリソース指示情報を送信可能なチャネルを指す。
【００５４】
任意選択的に、物理制御チャネルは、ＰＳＣＣＨを含む。
【００５５】
任意選択的に、送信側ＵＥが第１の周波数点のＰＳＣＣＨリソースを決定する方式は、送信側ＵＥは、ネットワーク側のスケジューリング又は設定に基づいて、第１の周波数点のＰＳＣＣＨリソースを決定すること、又は送信側ＵＥは、設定されたＰＳＣＣＨリソースプールで競合し、第１の周波数点を決定するＰＳＣＣＨリソースを選択することを含む。同様に、送信側ＵＥは、ネットワーク側のスケジューリング又は設定に基づいて、又はＰＳＳＣＨリソースプールで競合して、第１の周波数点のＰＳＳＣＨリソースを決定する。
【００５６】
ステップ１２：ＵＥ１は、第１の周波数点の物理制御チャネルで第１の制御情報を送信する。第１の制御情報は、第２の周波数点の周波数点指示情報及び／又はリソース指示情報を含む。第２の周波数点の周波数点指示情報は、第２の周波数点を示すことに用いられる。第２の周波数点のリソース指示情報は、第２の周波数点で割り当てられた／予約されたリソースを示すことに用いられる。こうして、受信側ＵＥは第１の周波数点で第１の制御情報を取得した後、第１の制御情報の指示に基づいて、わたるべく周波数点のリソース割当情報／予約情報を取得することができる。
【００５７】
任意選択的に、前記第２の周波数点で割り当てられた／予約されたリソースは、ＰＳＳＣＨリソース、又はＰＳＣＣＨリソース、又はＰＳＳＣＨリソースとＰＳＣＣＨリソースを含む。
【００５８】
任意選択的に、割り当てられた／予約されたリソースは、リソースの時間領域、又は周波数領域、又は空間領域、又は時間領域と周波数領域、又は時間領域と空間領域、又は周波数領域と空間領域、又は時間領域と周波数領域と空間領域を含む。ここで、リソースの時間領域は、オフセット、パターン（ｐａｔｔｅｒｎ）、持続期間、及び周期のうちの少なくとも１つを含み、リソースの周波数領域は、サブキャリア周波数、サブキャリア間隔、及びリソースブロック位置のうちの少なくとも１つを含み、リソースの空間領域は、アンテナビーム情報を含む。
【００５９】
ＵＥは、第１の周波数点の物理制御チャネルで制御情報を送信する方法は、多種がある。任意選択的に、ＵＥは第１の周波数点のＰＳＣＣＨでサイドリンク制御情報（Ｓｉｄｅｌｉｎｋ  Ｃｏｎｔｒｏｌ  Ｉｎｆｏｒｍａｔｉｏｎ、ＳＣＩ）を送信する。ここで、ＳＣＩは、第２の周波数点の周波数点指示情報及び／又はリソース指示情報を含む。選択的に、ＵＥは、第１の周波数点のＰＳＣＣＨでスケジューリング指示（Ｓｃｈｅｄｕｌｉｎｇ  Ａｓｓｉｇｎｍｅｎｔ、ＳＡ）を送信する。ここで、ＳＡは、第２の周波数点の周波数点指示情報及び／又はリソース指示情報を含む。
【００６０】
ステップ１３：ＵＥ１は第２の周波数点で関連情報を送信する。
【００６１】
任意選択的に、第２の周波数点にＰＳＳＣＨリソースが割り当てられた／予約されたとき、ＵＥ１は第２の周波数点のＰＳＳＣＨでデータを送信する。
【００６２】
任意選択的に、第２の周波数点にＰＳＣＣＨリソースが割り当てられた／予約されたとき、ＵＥ１は第２の周波数点のＰＳＣＣＨでＳＣＩを送信する。ここで、ＳＣＩは、第２の周波数点のＰＳＳＣＨのリソース指示情報を含む。
【００６３】
任意選択的に、第２の周波数点にＰＳＳＣＨリソース及びＰＳＣＣＨリソースが割り当てられた／予約されたとき、ＵＥ１は第２の周波数点のＰＳＳＣＨでデータを送信し、かつＰＳＣＣＨでＳＣＩを送信する。ここで、ＳＣＩ制御情報は、第２の周波数点のＰＳＳＣＨのリソース指示情報を含む。
【００６４】
ステップ１４：ＵＥ２は、第１の周波数点で物理制御チャネルをセンシング及び／又はリスニングし、第１の制御情報を取得する。ここで、第１の制御情報は、第２の周波数点の周波数点指示情報及び／又はリソース指示情報を含む。
【００６５】
なお、物理制御チャネルリスニングは、受信側ＵＥが採用し得る１つの選択可能な検出方法であり、ブラインド検出は、受信側ＵＥが採用し得る他の１つの選択可能な検出方法である。本明細書において、物理制御チャネルリスニングと物理制御チャネルのブラインド検出とが一致すると理解されてもよい。換言すれば、本明細書において、物理制御チャネルリスニングは、物理制御チャネルのブラインド検出という技術的手段を含む。
【００６６】
ＵＥ２が第１の周波数点で物理制御チャネルをセンシングし、又はＵＥ２が第１の周波数点で物理制御チャネルをリスニングし、又はＵＥ２が第１の周波数点で物理制御チャネルをリスニング及びセンシングして、第１の制御情報を取得することができる。
【００６７】
任意選択的に、物理制御チャネルはＰＳＣＣＨを含み、第１の制御情報はＳＣＩ又はＳＡを含む。
【００６８】
任意選択的に、前記第２の周波数点で割り当てられた／予約されたリソースは、ＰＳＳＣＨリソース、又はＰＳＣＣＨリソース、又はＰＳＳＣＨリソースとＰＳＣＣＨリソースを含む。
【００６９】
ステップ１５：ＵＥ２は、第１の制御情報の指示に基づいて、第２の周波数点で関連情報を受信する。
【００７０】
任意選択的に、第１の制御情報が第２の周波数点のＰＳＣＣＨのリソース指示情報を含む場合、ＵＥ２は第２の周波数点のＰＳＣＣＨをリスニングし、複調して第３の制御情報を取得する。第３の制御情報は、第２の周波数点のＰＳＳＣＨリソース指示情報を含む。ＵＥ２は、第３の制御情報の指示に基づいて、第２の周波数点のＰＳＣＣＨを受信し、ＵＥ１から送信されたデータを受信する。
【００７１】
任意選択的に、第１の制御情報が第２の周波数点のＰＳＳＣＨのリソース指示情報を含む場合、ＵＥ２は、第２の周波数点のＰＳＳＣＨを受信する。
【００７２】
任意選択的に、第１の制御情報が第２の周波数点のＰＳＣＣＨ及びＰＳＳＣＨのリソース指示情報を含む場合、ＵＥ２は第２の周波数点のＰＳＣＣＨをリスニングし、複調して第３の制御情報を取得し、かつ第２の周波数点のＰＳＳＣＨを受信する。第１の制御情報は、第２の周波数点のＰＳＳＣＨリソースを示すことができ、第３の制御情報も、第２の周波数点のＰＳＳＣＨリソースを示すことができるため、ＵＥ２は、それぞれ第１の制御情報と第３の制御情報から第２の周波数点のＰＳＳＣＨのリソース指示情報を取得することができる。この場合、ＵＥ２は、第３の制御情報に示される第２の周波数点のＰＳＳＣＨリソースを、第１の制御情報に示される第２の周波数点のＰＳＳＣＨリソースと比較することにより、伝送検証の目的を達成することができる。両者が同じである場合、ＵＥ２とＵＥ１との間の情報伝送が正確であることを示す。両者が異なる場合、ＵＥ２とＵＥ１との間の情報伝送にエラーが発生することを示すため、この時、第２の周波数点のＰＳＳＣＨの受信を放棄するか、又は第２の周波数点のＰＳＣＣＨ又はＰＳＳＣＨを再受信する等、事前設定のポリシーに従って、関連操作を実行する必要がある。
【００７３】
ＵＥ２は、第１の制御情報及び／又は第３の制御情報の指示に基づいて、複数の周波数点のリソース割当情報／予約情報を取得することができる。ＵＥ２がこれらすべての周波数点の同時受信又は送信をサポートできる場合、ＵＥ２はこれらすべての周波数点でデータを受信／送信することができる。周波数点の数がＵＥ２の同時受信又は送信可能の周波数点の数を超えた場合、任意選択的に、ＵＥ２は、第１の制御情報及び／又は第３の制御情報に示された周波数点の中から１つ又は複数の周波数点を選択してＰＳＳＣＨを受信することができる。選択されていない周波数点について、ＵＥ２は、ＰＳＳＣＨの受信を放棄する。このように、ＵＥ２は、一番重要なリソースを選択してデータ送受信を行うことにより、利用可能なすべてのスペクトルリソースを十分利用するだけでなく、他のＵＥから送信されたデータを見逃すことはない。任意選択的に、ＵＥ２は、優先順位と、ＱｏＳと、伝送モードとの１つ又はそれらの組み合わせに基づいて、１つ又は複数の周波数点を選択し、ＰＳＳＣＨを受信する。
【００７４】
任意選択的に、優先順位は、周波数点の優先順位又は伝送サービスの優先順位であり得る。
【００７５】
ＵＥ２が優先順位、ＱｏＳ、伝送モードを取得する方法は、多種がある。
【００７６】
任意選択的に、第１の制御情報は、優先順位、ＱｏＳ、送信モードのうちの１つ又は複数を含む。ＵＥ２は、第１の制御情報により、これらの情報を取得することができる。
【００７７】
任意選択的に、ＵＥ２は、上位層構成に応じて、優先順位、ＱｏＳ、送信モードのうちの１つ又は複数を取得することができる。
【００７８】
任意選択的に、優先順位及び／又は伝送モードは、事前定義されている。
【００７９】
さらに、ＵＥ２は、第１の制御情報及び／又は第３の制御情報の指示に基づいて、複数の周波数点のリソース割当情報／予約情報を取得した後、第２の周波数点での利用可能なリソースと利用不可のリソースを決定することができる。任意選択的に、ＵＥ２は、第２の周波数点での利用可能なリソースを上位層に報告する。
【００８０】
任意選択的に、第１の周波数点と第２の周波数点は、同じｓｉｄｅｌｉｎｋ伝送モードの周波数点である。例えば、第１の周波数点と第２の周波数点は、共にＬＴＥ  ｓｉｄｅｌｉｎｋ送信モードのＣＣ／ＢＷＰであるか、又は共にＮＲ  ｓｉｄｅｌｉｎｋ送信モードのＣＣである。
【００８１】
任意選択的に、第１の周波数点と第２の周波数点は、異なるｓｉｄｅｌｉｎｋ伝送モードの周波数点である。例えば、第１の周波数点は、ＬＴＥ  ｓｉｄｅｌｉｎｋ送信モードのＣＣ／ＢＷＰであり、第２の周波数点は、ＮＲ  ｓｉｄｅｌｉｎｋ送信モードのＣＣ／ＢＷＰであり、又は第１の周波数点は、ＮＲ  ｓｉｄｅｌｉｎｋ送信モードのＣＣ／ＢＷＰであり、第２の周波数点は、ＬＴＥ  ｓｉｄｅｌｉｎｋ送信モードのＣＣ／ＢＷＰである。ＵＥは、ＮＲ  ｓｉｄｅｌｉｎｋ伝送モードのＣＣ／ＢＷＰの割当又は予約を示すように、ＬＴＥ  ｓｉｄｅｌｉｎｋ送信モードのＣＣ／ＢＷＰでＳＣＩを送信することができる。したがって、ＵＥは、ＬＴＥ  ｓｉｄｅｌｉｎｋ伝送モードのＣＣ／ＢＷＰで、基本的セキュリティサービスのセンシング及びブラインド検出を行うと同時に、ＮＲｓｉｄｅｌｉｎｋ伝送モードのＣＣ／ＢＷＰで高度なＶ２Ｘサービスに割り当てられたリソースを取得できる。
【００８２】
前述した任意の実施例では、送信端ＵＥは、周波数点にわたってリソース割当又は予約を行うことができ、受信端ＵＥは、そのうちの一つの周波数においてのみリソースセンシング及びブラインド検出を行うことにより、他の周波数のリソース割当又は予約結果を取得することができ、これにより、ＵＥの複数の周波数点における送受信機能が制限され、ＵＥ間の送受信機能がマッチングしない等の問題を解決することができる。単一のＵＥの場合、１つの周波数点で他の周波数点のリソース割当／予約結果を取得することにより、複数の周波数点のそれぞれ独立したリソースセンシングによる送受信衝突問題を回避することができる。ＵＥは任意の周波数点にキャンプオンして他の周波数点のリソース割当／予約結果を取得できるため、ＵＥを割り当てて異なる周波数点でリソースセンシングを実行することにより、複数の周波数点間の負荷均衡をサポートして、干渉を回避することができ、ＵＥが最適な周波数帯に送受信を行うことになるように有利である。ＵＥがｓｉｄｅｌｉｎｋを使用しＶ２Ｘサービスを行うとき、ＵＥの複数の周波数点における送受信機能が制限されても、異なるＶ２Ｘサービスが同時に行われることを保障ことができる。
【００８３】
別の選択可能な実施例では、ＵＥ１は、第１の周波数点の物理制御チャネルで第２の制御情報を送信することもできる。第２の制御情報は、第１の周波数点の周波数点指示情報及び／又はリソース指示情報を含む。第１の周波数点の周波数点指示情報は、第１の周波数点を示すことに用いられ、第１の周波数点のリソース指示情報は、第１の周波数点で割り当てられた／予約されたリソースを示すことに用いられる。
【００８４】
この実施例では、ＵＥ１は、それぞれ第１の制御情報および第２の制御情報を介して、わたるべく周波数点のリソース指示情報及び当該周波数点のリソース指示情報を送信する。
【００８５】
１つの選択可能な形態では、第２の制御情報は、標準規格のＳＣＩを含む標準規格の制御情報フォーマットを採用する。第１の制御情報も、標準規格のＳＣＩを含む標準規格の制御情報フォーマットを採用する。このように、複数の制御情報は、リソース指示情報が付加され、かつ複数の制御情報のフォーマットとサイズが何れも同じである。受信端末ＵＥが各制御情報に対応する周波数点を区別できるように、任意選択的に、ＵＥ１は、設定された優先順位に応じて複数の制御情報を送信する。例えば、ＵＥ１が送信する第１の制御情報は、当該周波数点に対応する第２の制御情報であり、ＵＥ１が送信する第２の制御情報は、わたるべく周波数点に対応する第１の制御情報である。ＵＥ２は、受信順序に基づいて、各制御情報に対応する周波数点を決定し、第１の制御情報と第２の制御情報を区別することができる。該方式は、関連技術の制御情報のフォーマットを変更する必要なく、制御情報の送信順序を制御することにより各制御情報に対応する周波数点を示す。
【００８６】
別の選択可能な形態では、標準規格の制御情報を若干変更する。任意選択的に、標準規格の制御情報に、周波数点指示情報を追加する。例えば、標準規格の制御情報におけるリザーブドビットを、周波数点指示として使用してもよい。ＵＥ１が第１の周波数点の物理制御チャネルで送信する第１の制御情報は、第２の周波数点の周波数点指示情報を含み、第２の制御情報は、第１の周波数点の周波数点指示情報を含む。ＵＥ２は、各制御情報中の周波数点指示情報に基づいて、各制御情報に対応する周波数点を決定し、第１の制御情報と第２の制御情報を区別することができる。該形態は、標準規格の制御情報を若干変更することにより、各制御情報に対応する周波数点を示すことができる。
【００８７】
別の選択可能な形態では、第１の周波数点の自己スケジューリングに用いる第２の制御情報は、標準規格のＳＣＩを含む標準規格の制御情報を採用してもよい。第２の周波数点のクロススケジューリングに用いる第１の制御情報は、標準規格の制御情報（標準規格のＳＣＩを含む）の変更に基づいて決定されてもよい。
【００８８】
別の選択可能な形態では、ＵＥ１が第１の周波数点の物理制御チャネルで送信した第１の制御情報は、第２の周波数点のリソース表示情報のほか、他の周波数点のリソース指示情報を含む。例えば、第１の制御情報は、第１の周波数点のリソース指示情報、又は第１の周波数点と他の周波数点のリソース指示情報をさらに含む。第１の制御情報が２つ以上の周波数点のリソース指示情報を含む場合、第１の制御情報は、（標準規格のＳＣＩを含む）標準規格の制御情報の変更に基づいて決定されてもよい。
【００８９】
標準規格の制御情報（標準規格のＳＣＩを含む）の変更に基づいて、第１の制御情報を決定する方法は、多種がある。任意選択的に、第１の制御情報と標準規格の制御情報のフォーマット又はサイズが同じであり、又は前記第１の制御情報と第２の制御情報のフォーマット及びサイズが両方とも異なる。第１の制御情報と標準規格の制御情報のフォーマット又はサイズが同じである場合、第１の制御情報は、多種の方法で第２の周波数点のリソースを示すことができる。
【００９０】
任意選択的に、標準規格の制御情報における独立した領域は、周波数点指示情報及び／又はリソース指示情報として用いられる。
【００９１】
任意選択的に、標準規格の制御情報におけるリザーブドビット（ｒｅｓｅｒｖｅｄ  ｂｉｔ）は、周波数点指示情報及び／又はリソース指示情報として用いられる。
【００９２】
任意選択的に、標準規格の制御情報における設定された領域は、周波数点指示情報及び／又はリソース指示情報として用いられる。
【００９３】
任意選択的に、周波数点指示情報及び／又はリソース指示情報が少なくとも１つの他の領域と共同符号化される。
【００９４】
任意選択的に、標準規格の制御情報において周波数点指示情報及び／又はリソース指示情報に用いられる特定領域は独立して符号化されてもよく、また共同符号化されてもよい。指示領域が共同符号化された場合、指示領域は、伝送タイプ、サービスタイプ、伝送優先順位、応答情報（ＡＣＫ／ＮＡＣＫなど）、ハイブリッド自動再伝送要求（Ｈｙｂｒｉｄ  Ａｕｔｏｍａｔｉｃ  Ｒｅｐｅａｔ  Ｒｅｑｕｅｓｔ、ＨＡＲＱ）プロセス番号、リソース割当および変調符号化方式（ＭＣＳ）のうちの少なくとも１つを示すことに用いられる。すなわち、周波数点表示情報及び／又はリソース指示情報は、伝送タイプ、サービスタイプ、伝送優先順位、応答情報、ハイブリッド自動再伝送要求（Ｈｙｂｒｉｄ  Ａｕｔｏｍａｔｉｃ  Ｒｅｐｅａｔ  Ｒｅｑｕｅｓｔ、ＨＡＲＱ）プロセス番号、リソース割当および変調符号化方式（ＭＣＳ）のうちの少なくとも１つと共同符号化される。  
【００９５】
任意選択的に、周波数点指示情報及び／又はリソース指示情報は、ＣＲＣのスクランブル処理に用いられる。ＣＲＣのスクランブル処理／デスクランブル処理によって周波数点指示情報及び／又はリソース指示情報を取得する任意の実施形態では、受信端末ＵＥは、ネットワーク側のスケジューリング設定又は他の方法で、１つ又は複数の利用可能な周波数点の周波数点指示情報（例えば、周波数点１、周波数点２、及び周波数点３の周波数点指示情報）、及び利用可能な周波数点での利用可能なリソースのリソース指示情報（例えば、周波数点１での利用可能なリソースのリソース指示情報、周波数点２での利用可能なリソースのリソース指示情報、周波数点３での利用可能なリソースのリソース指示情報）を事前取得することができる。このように、受信端末ＵＥが送信端末ＵＥから送信された情報を受信すると、各周波数点の周波数点指示情報及び／又は各周波数点での利用可能なリソースのリソース指示情報を順次採用して、受信した情報のＣＲＣのデスクランブル処理を行う。すなわち、受信した情報を正しくデスクランブルできる指示情報は、送信側ＵＥから送信される周波数指示情報及び／またはリソース指示情報である。任意選択的に、受信端末ＵＥは、優先順位、Ｑｏｓ、伝送モードのうちの少なくとも１つに基づいて、各周波数点のＣＲＣのデスクランブリング処理を順次に行うことができる。
【００９６】
別の選択可能な形態では、ユーザ機器間通信のための方法は、ＵＥ１が第２の周波数点を決定するステップをさらに有する。ここで、第２の周波数点を決定する方法は、多種があり、慣例又は汎用の方法がない。任意選択的に、上位層の構成又はサービス需要に応じて第２の周波数点を決定する。任意選択的に、設定された優先順位に応じて第２の周波数点を選択する。任意選択的に、信号強度又は品質に応じて第２の周波数点を選択する。任意選択的に、周波数点の干渉状況又は占有率に応じて第２の周波数点を選択する。任意選択的に、ネットワーク構成に応じて第２の周波数点を決定する。任意選択的に、第２の周波数点をランダムに選択する。任意選択的に、疑似ランダム関数に応じて第２の周波数点を割り当てる。同様に、上記の選択可能な方法で、第１の周波数点を決定することができる。
【００９７】
以下、周波数点がＣＣである場合を例に挙げ、ユーザ機器間通信のための方法をより具体的に説明する。
【００９８】
本開示の一実施形態では、図６に示すように、ＵＥ１、ＵＥ２、ＵＥ３は、伝送を行うために、何れもｓｉｄｅｌｉｎｋを設定し、使用する。ＵＥ１には、ＣＣ１とＣＣ２との２つのＣＣが設定される。ＣＣ１とＣＣ２は、同じ通信システムのｓｉｄｅｌｉｎｋ  ＣＣであり得、例えば、ＣＣ１とＣＣ２は両方ともＬＴＥ又はＮＲのｓｉｄｅｌｉｎｋ  ＣＣである。又は、ＣＣ１とＣＣ２は異なるモードあり得、例えば、ＣＣ１はＬＴＥｓｉｄｅｌｉｎｋであり、ＣＣ２はＮＲ  ｓｉｄｅｌｉｎｋである。
【００９９】
ＵＥ１は、ＣＣ１のＰＳＣＣＨでＳＣＩ−１を送信し、ＣＣ２のＰＳＣＣＨでＳＣＩ−２を送信する。ＳＣＩ−１及びＳＣＩ−２は、いずれもＣＣ２上のＰＳＳＣＨのリソース指示情報を含む。ＳＣＩ−１は、ＣＣ２上のリソース割当を示す、わたるべく周波数点指示情報を含む。
【０１００】
ＵＥ２は、ＣＣ１でＰＳＣＣＨをセンシング、ブラインド検出し、復調してＳＣＩ−１を取得する。ＳＣＩ−１は、ＣＣ２にＰＳＳＣＨリソース割り当てられたことを示す。ＵＥ２は、指示に従ってＣＣ２でのＰＳＳＣＨを受信し、復調する。
【０１０１】
ＵＥ３は、ＣＣ２でＰＳＣＣＨをセンシングし、ブラインドで検出し、復調してＳＣＩ−２を取得する。ＳＣＩ−２は、ＣＣ２にＰＳＳＣＨリソースが割り当てられたことを示す。ＵＥ３は、指示に従ってＣＣ２でのＰＳＳＣＨを受信し、復調する。
【０１０２】
この選択可能な実施例では、各周波数点は、ＣＣを例にして説明したが、ＢＷＰやリソースプールなどの方式にも適用される。ＳＣＩは、リソースの時間領域、及び／又は、周波数領域、及び／又は、空間領域などの情報を示す。
【０１０３】
別の選択可能な実施例では、図７に示すように、ＵＥ１、ＵＥ２、ＵＥ３は、伝送を行うために、何れもｓｉｄｅｌｉｎｋを設定、使用する。ＵＥ１には、ＣＣ１とＣＣ２との２つのＣＣが割り当てられる。ここで、ＣＣ１はＬＴＥ  ｓｉｄｅｌｉｎｋであり、ＣＣ２はＮＲ  ｓｉｄｅｌｉｎｋである。ＵＥ１は、ＣＣ１のＰＳＣＣＨでＳＣＩ−１を送信し、ＣＣ２のＰＳＣＣＨでＳＣＩ−２を送信する。ここで、ＳＣＩ−１は、ＣＣ２でのＳＣＩ−２の指示情報を含み、ＳＣＩ−２は、同じＣＣでのＰＳＳＣＨを割り当てることを示す。
【０１０４】
ＵＥ２は、ＣＣ１でＰＳＣＣＨをセンシングしかつブラインドで検出し、復調してＳＣＩ−１を取得し、ＳＣＩ−１の指示に従ってＣＣ２でのＰＳＣＣＨを受信し、復調してＳＣＩ−２を取得し、ＳＣＩ−２の指示に従ってＣＣ２でのＰＳＳＣＨを受信し、復調を行う。
【０１０５】
ＵＥ３は、ＣＣ２でＰＳＣＣＨをセンシングし、ブラインド検出し、復調してＳＣＩ−２を取得する。ＳＣＩ−２は、ＣＣ２にＰＳＳＣＨリソースが割り当てられたことを示す。ＵＥ３は、指示に従ってＣＣ２のＰＳＳＣＨを受信し、復調する。
【０１０６】
別の選択可能な実施例では、図８に示すように、ＵＥ１、ＵＥ２、ＵＥ３は、伝送を行うために、何れもｓｉｄｅｌｉｎｋを設定、使用する。ＵＥ１には、２つのＣＣが割り当てられる。ここで、ＣＣ１はＬＴＥ  ｓｉｄｅｌｉｎｋであり、ＣＣ２はＮＲ  ｓｉｄｅｌｉｎｋである。
【０１０７】
ＵＥ１は、ＣＣ１のＰＳＣＣＨでＳＣＩ−１を送信し、ＣＣ２のＰＳＣＣＨでＳＣＩ−２を送信する。ここで、ＳＣＩ−１は、後続の伝送のためにＣＣ２上のリソースを予約することを示し、当該リソースは、ＰＳＳＣＨとＰＳＳＣＨの多重化伝送に使用される。予約されたリソースにおいて、ＳＣＩ−２は、実際に割り当てられたＰＳＳＣＨを示す。
【０１０８】
ＵＥ２は、ＣＣ１でＰＳＣＣＨをセンシングし、ブラインド検出し、復調してＳＣＩ−１を取得し、ＳＣＩ−１の指示に従って、ＣＣ２でＵＥ１により予約されたリソースを取得する。ＵＥ２は、ＣＣ２上で予約されたリソースでＰＳＳＣＨを検測し、復調してＳＣＩ−２を取得し、さらにＳＣＩ−２の指示に従ってＣＣ２上のＰＳＳＣＨを受信し、復調する。
【０１０９】
ＵＥ３は、ＣＣ２上でＰＳＣＣＨをセンシングし、ブラインド検出し、復調してＳＣＩ−２を取得する。ＳＣＩ−２は、ＣＣ２上にＰＳＳＣＨリソースが割り当てられたことを示す。ＵＥ３は、指示に従ってＣＣ２上のＰＳＳＣＨを受信し、復調する。
【０１１０】
前述した選択可能な実施例は、いずれも２つのＣＣを例にして説明したが、該方法は、より多くのＣＣにも適用される。
【０１１１】
前述した任意の実施例では、送信端ＵＥは、周波数点にわたってリソース割当又は予約を行うことができ、受信端ＵＥは、そのうちの１つの周波数点においてのみリソースセンシング及びブラインド検出を行うことにより、他の周波数点のリソース割当又は予約結果を取得することができ、これにより、ＵＥの複数の周波数点における送受信機能が制限され、ＵＥ間の送受信機能がマッチングしない等の問題を解決することができる。単一のＵＥの場合、１つの周波数点で他の周波数点のリソース割当／予約結果を取得することにより、複数の周波数点のそれぞれ独立したリソースセンシングによる送受信衝突問題を回避することができる。ＵＥは任意の周波数点にキャンプオンして他の周波数点のリソース割当／予約結果を取得できるため、ＵＥを割り当てて異なる周波数点でリソースセンシングを実行することにより、複数の周波数点間の負荷均衡をサポートして、干渉を回避することができ、ＵＥが最適な周波数帯に送受信を行うことに有利である。ＵＥがｓｉｄｅｌｉｎｋを使用しＶ２Ｘサービスを行うとき、ＵＥの複数の周波数点における送受信機能が制限されても、異なるＶ２Ｘサービスが同時に行われることを保障することができる。
【０１１２】
図２は、送信端末ＵＥの構成を示す図である。当該送信端末ＵＥは、プロセッサＳ１及び送受信機Ｓ２を備える。プロセッサＳ１は、第１の周波数点の物理制御チャネルリソースを決定することに用いられ、送受信機Ｓ２は、第１の周波数点の物理制御チャネルで第１の制御情報を送信することに用いられる。任意選択的に、送受信機Ｓ２は、さらに、第１の周波数点の物理制御チャネルで第２の制御情報を送信することに用いられる。こうして、受信側ＵＥは第１の周波数点で第１の制御情報を取得した後、第１の制御情報の指示に基づいて、わたるべく周波数点のリソース割当情報／予約情報を取得することができる。
【０１１３】
任意選択的に、物理制御チャネルはＰＳＣＣＨを含む。
【０１１４】
第１の周波数点の物理制御チャネルで制御情報を送信する方法は、多種がある。任意選択的に、送受信機Ｓ２は第１の周波数点のＰＳＣＣＨでＳＣＩを送信する。ここで、ＳＣＩは、第２の周波数点の周波数点指示情報及び／又はリソース指示情報を含む。任意選択的に、ＵＥは第１の周波数点のＰＳＣＣＨでＳＡを送信する。ここで、ＳＡは、第２の周波数点の周波数点指示情報及び／又はリソース指示情報を含む。
【０１１５】
任意選択的に、前記第２の周波数点に割り当てられた／予約されたリソースは、ＰＳＣＣＨリソース、又はＰＳＳＣＨリソース、又はＰＳＣＣＨリソースとＰＳＳＣＨリソースを含む。
【０１１６】
任意選択的に、第１の周波数点のＰＳＣＣＨリソースを決定する方式は、ネットワーク側のスケジューリング設定に基づいて、第１の周波数点のＰＳＣＣＨリソースを決定すること、又は設定されたＰＳＣＣＨリソースプールで競合して、第１の周波数点のＰＳＣＣＨリソースを選択し決定する。同様に、ネットワーク側のスケジューリング設定に基づいて、又はＰＳＳＣＨリソースプールで競合して、第１の周波数点のＰＳＳＣＨリソースを決定してもよい。
【０１１７】
任意選択的に、送受信機Ｓ２は、第１の制御情報を送信した後、さらに、第２の周波数点のＰＳＳＣＨでデータを送信すること、又は第２の周波数点のＰＳＣＣＨで制御情報を送信すること、又は第２の周波数点のＰＳＳＣＨでデータを送信し、かつＰＳＣＣＨで制御情報を送信することに用いられる。
【０１１８】
任意選択的に、第２の周波数点にＰＳＳＣＨリソースが割り当てられた／予約されたとき、送受信機Ｓ２は第２の周波数点のＰＳＳＣＨでデータを送信する。
【０１１９】
任意選択的に、第２の周波数点にＰＳＣＣＨリソースが割り当てられた／予約されたとき、送受信機Ｓ２は第２の周波数点のＰＳＣＣＨでＳＣＩを送信する。ここで、ＳＣＩ制御情報は、第２の周波数点のＰＳＳＣＨリソース指示情報を含む。
【０１２０】
任意選択的に、第２の周波数点にＰＳＳＣＨリソースとＰＳＣＣＨリソースが割り当てられた／予約されたとき、送受信機Ｓ２は第２の周波数点のＰＳＳＣＨでデータを送信し、かつＰＳＣＣＨでＳＣＩを送信する。ここで、ＳＣＩ制御情報は、第２の周波数点でのＰＳＳＣＨリソース指示情報を含む。
【０１２１】
任意選択的に、プロセッサＳ２は、さらに、以下の方式、即ち、
上位層の設定に応じて、第１の周波数点及び／又は第２の周波数点を決定する方式、
サービスの要求に応じて、第１の周波数点及び／又は第２の周波数点を選択する方式、
設定の優先順位に応じて、第１の周波数点及び／又は第２の周波数点を選択する方式、
信号強度又は品質に応じて、第１の周波数点及び／又は第２の周波数点を選択する方式、
周波数点の干渉状況又は占有率に応じて、第１の周波数点及び／又は第２の周波数点を選択する方式、
ネットワーク設定に応じて、第１の周波数点及び／又は第２の周波数点を決定する方式。
ランダム又は擬似ランダム関数に応じて、第１の周波数点及び／又は第２の周波数点を決定する方式、
のうちの１つ又は複数の方式で第１の周波数点及び／又は第２の周波数点を決定することに用いられる。
【０１２２】
別の任意選択可能な実施例では、送受信機Ｓ２は、第１の周波数点の物理制御チャネルで第２の制御情報を送信することができる。該実施形態では、送信側ＵＥは、それぞれ第１の制御情報および第２の制御情報を介して、わたるべく周波数点のリソース指示情報及び当該周波数点のリソース指示情報を送信する。
【０１２３】
別の任意選択可能な実施例では、送受信機Ｓ２が第１の周波数点の物理制御チャネルで送信する第１の制御情報は、第２の周波数点のリソース表示情報のほか、他の周波数点のリソース指示情報を含む。例えば、第１の制御情報は、第１の周波数点のリソース指示情報、又は第１の周波数点と他の周波数点のリソース指示情報をさらに含む。第１の制御情報が２つ以上の周波数点のリソース指示情報を含む場合、第１の制御情報は、標準規格の制御情報（標準規格のＳＣＩを含む）の変更に基づいて決定されてもよい。
【０１２４】
図３は、受信端末ＵＥの構成を示している。当該受信端末ＵＥは送受信機Ｓ３を備える。該送受信機Ｓ３は、第１のユニットＳ３１と第２のユニットＳ３２とを備える。
【０１２５】
第１のユニットＳ３１は、第１の周波数点で物理制御チャネルをセンシング及び／又はリスニングすることに用いられ、第２のユニットＳ３２は、物理制御チャンネルから第１の制御情報を取得することに用いられる。
【０１２６】
任意選択的に、物理制御チャネルはＰＳＣＣＨを含み、第１の制御情報はＳＣＩ又はＳＡを含む。
【０１２７】
任意選択的に、前記第２の周波数点で割り当てられた／予約されたリソースは、ＰＳＳＣＨリソース、又はＰＳＣＣＨリソース、又はＰＳＳＣＨリソースとＰＳＣＣＨリソースを含む。
【０１２８】
任意選択的に、送受信機Ｓ３は、第３のユニットをさらに備える。第３のユニットは、第１の制御情報の指示に基づいて、第２の周波数点のＰＳＣＣＨをリスニングし、復調して第３の制御情報を取得すること、又は第２の周波数点のＰＳＳＣＨを受信すること、又は第２の周波数点のＰＳＣＣＨをリスニングし、復調して第３の制御情報を取得し、かつ第２の周波数点のＰＳＳＣＨを受信することに用いられる。ここで、第３の制御情報は、第２の周波数点のＰＳＳＣＨリソース指示情報を含む。
【０１２９】
任意選択的に、受信端ＵＥは、プロセッサをさらに含む。前記プロセッサは、第３の制御情報の指示に基づいて、送受信機Ｓ３を制御し第２の周波数点のＰＳＣＣＨを受信させること、又は前記第３の制御情報に示される第２の周波数点のＰＳＳＣＨリソースを、第１の制御情報に示される前記第２の周波数点のＰＳＳＣＨリソースと比較し、両者が異なる場合、プリセット動作を実行することに用いられる。
【０１３０】
受信端ＵＥは、第１の制御情報及び／又は第３の制御情報の指示に基づいて、複数の周波数点のリソース割当情報／予約情報を取得することができる。受信端ＵＥがこれらすべての周波数点の同時受信／送信をサポートできる場合、受信端ＵＥはこれらすべての周波数点でデータを受信／送信することができる。周波数点の数が受信端ＵＥの同時受信／送信可能な周波数点の数を超えた場合、任意選択的に、受信側ＵＥのプロセッサは、第１の制御情報及び／又は第３の制御情報に示された周波数点の中から１つ又は複数の周波数点を選択してＰＳＳＣＨを受信する。選択されていない周波数点について、受信側ＵＥは、ＰＳＳＣＨの受信を放棄する。このように、受信側ＵＥは、一番重要なリソースを選択してデータの送受信を行うことにより、利用可能なすべてのスペクトルリソースを十分利用するだけでなく、他のＵＥから送信されたデータを見逃すことはない。任意選択的に、受信端末ＵＥは、優先順位、ＱｏＳ、伝送モードの１つ又はそれらの組み合わせに基づいて、１つ又は複数の周波数点を選択し、ＰＳＳＣＨを受信する。
【０１３１】
任意選択的に、優先順位は、周波数点の優先順位又は伝送サービスの優先順位であり得る。
【０１３２】
ＵＥ２が優先順位、ＱｏＳ、伝送モードを取得する方法は、多種がある。
【０１３３】
任意選択的に、第１の制御情報は、優先順位、ＱｏＳ、送信モードのうち１つ以上を含む。ＵＥ２は、第１の制御情報により、これらの情報を取得することができる。
【０１３４】
任意選択的に、ＵＥ２は、上位層構成を応じて、優先順位、ＱｏＳ、送信モードのうち１つ以上を取得することができる。
【０１３５】
任意選択的に、優先順位及び／又は伝送モードは、事前定義されている。
【０１３６】
さらに、受信側ＵＥは、第１の制御情報及び／又は第３の制御情報の指示に基づいて、複数の周波数点のリソース割当情報／予約情報を取得した後、第２の周波数点での利用可能なリソースと利用不可のリソースを決定することができる。任意選択的に、受信端末ＵＥの送受信機Ｓ３は、第２の周波数点での利用可能なリソースを上位層に報告する。
【０１３７】
任意選択的に、第１の制御情報が第２の周波数点のＰＳＣＣＨのリソース指示情報を含む場合、第３のユニットは第２の周波数点のＰＳＣＣＨをリスニングし、複調して第３の制御情報を取得する。ここで、第３の制御情報は、第２の周波数点のＰＳＳＣＨリソース指示情報を含む。第３のユニットは、第３の制御情報の指示に基づいて、第２の周波数点のＰＳＣＣＨを受信し、発信端末ＵＥから送信されたデータを受信する。
【０１３８】
任意選択的に、第１の制御情報が第２の周波数点のＰＳＳＣＨのリソース指示情報を含む場合、第３のユニットは第２の周波数点のＰＳＳＣＨを受信する。
【０１３９】
任意選択的に、第１の制御情報が第２の周波数点のＰＳＣＣＨ及びＰＳＳＣＨのリソース指示情報を含む場合、第３のユニットは第２の周波数点のＰＳＣＣＨをリスニングし、複調して第３の制御情報を取得し、第２の周波数点のＰＳＳＣＨを受信する。第１の制御情報は、第２の周波数点のＰＳＳＣＨリソースを示すことができ、第３の制御情報も第２の周波数点のＰＳＳＣＨリソースを示すこともできるため、プロセッサは、それぞれ第１の制御情報と第３の制御情報から第２の周波数点のＰＳＳＣＨリソース指示情報を取得することができる。この場合、プロセッサは、第３の制御情報に示される第２の周波数点のＰＳＳＣＨリソースを、第１の制御情報に示される第２の周波数点のＰＳＳＣＨリソースと比較することにより、伝送検証の目的を達成する。両方が同じである場合、送信側ＵＥと受信側ＵＥとの間の情報伝送が正確であることを示す。両者が異なる場合、送信側ＵＥと受信側ＵＥとの間の情報伝送にはエラーが発生することを示すため、この時、第２の周波数点のＰＳＳＣＨの受信を放棄するか、又は第２の周波数点のＰＳＣＣＨ又はＰＳＳＣＨを再受信するなどの事前設定のポリシーに従って、関連操作を実行する必要がある。
【０１４０】
任意選択的に、第１の周波数点と第２の周波数点は、同じｓｉｄｅｌｉｎｋ伝送モードの周波数点である。例えば、第１の周波数点と第２の周波数点は、共にＬＴＥ  ｓｉｄｅｌｉｎｋ送信モードのＣＣ／ＢＷＰであり、又は共にＮＲ  ｓｉｄｅｌｉｎｋ送信モードのＣＣでもある。
【０１４１】
任意選択的に、第１の周波数点と第２の周波数点は、異なるｓｉｄｅｌｉｎｋ伝送モードの周波数点である。例えば、第１の周波数点は、ＬＴＥ  ｓｉｄｅｌｉｎｋ送信モードのＣＣ／ＢＷＰであり、第２の周波数点は、ＮＲ  ｓｉｄｅｌｉｎｋ送信モードのＣＣ／ＢＷＰであり、又は第１の周波数点は、ＮＲ  ｓｉｄｅｌｉｎｋ送信モードのＣＣ／ＢＷＰであり、第２の周波数点は、ＬＴＥ  ｓｉｄｅｌｉｎｋ送信モードのＣＣ／ＢＷＰである。ＵＥは、ＬＴＥ  ｓｉｄｅｌｉｎｋ送信モードのＣＣ／ＢＷＰでＳＣＩを送信して、ＮＲｓｉｄｅｌｉｎｋ伝送モードのＣＣ／ＢＷＰの割当又は予約を示すことができる。したがって、ＵＥは、ＬＴＥ  ｓｉｄｅｌｉｎｋ伝送モードのＣＣ／ＢＷＰで、基本的セキュリティサービスのセンシング及びブラインド検出を行うと同時に、ＮＲｓｉｄｅｌｉｎｋ伝送モードのＣＣ／ＢＷＰで高度Ｖ２Ｘサービスに割り当てられたリソースを取得できる。
【０１４２】
前述した選択可能な実施例では、送信端ＵＥは、周波数点にわたってリソース割当又は予約を行うことができ、受信端ＵＥは、そのうちの１つの周波数点においてのみリソースセンシング及びブラインド検出を行うことにより、他の周波数点のリソース割当又は予約結果を取得することができ、ＵＥの複数の周波数点における送受信機能が制限され、ＵＥ間の送受信機能がマッチングしない等の問題を解決することができる。単一のＵＥの場合、１つの周波数点で他の周波数点のリソース割当／予約結果を取得することにより、複数の周波数点のそれぞれ独立したリソースセンシングによる送受信衝突問題を回避することができる。ＵＥは任意の周波数点にキャンプオンして他の周波数点のリソース割当／予約結果を取得できるため、ＵＥを割り当てて異なる周波数点でリソースセンシングを実行することにより、複数の周波数点間の負荷均衡をサポートして、干渉を回避することができ、ＵＥが最適な周波数帯に送受信を行うことに有利である。ＵＥがｓｉｄｅｌｉｎｋを使用しＶ２Ｘサービスを行うとき、ＵＥの複数の周波数点における送受信機能が制限されても、異なるＶ２Ｘサービスが同時に行われることを保障することができる。
【０１４３】
１つの選択可能な形態では、第２の制御情報は、標準規格のＳＣＩを含む標準規格の制御情報フォーマットを採用する。第１の制御情報も、標準規格のＳＣＩを含む標準規格の制御情報フォーマットを採用する。このように、複数の制御情報には、リソース指示情報が付加され、かつ複数の制御情報のフォーマットとサイズがいずれも同じである。受信端ＵＥが各制御情報に対応する周波数点を区別できるように、任意選択的に、発送側ＵＥの送受信機Ｓ２は、設定順序に従って複数の制御情報を送信する。例えば、送受信機Ｓ２が送信する第１の制御情報は、当該周波数点に対応する第２の制御情報であり、送受信機Ｓ２が送信する第２の制御情報は、わたるべく周波数点に対応する第１の制御情報である。受信側ＵＥの送受信機Ｓ３は、受信順序に従って、各制御情報に対応する周波数点を特定し、第１の制御情報と第２の制御情報を区別することができる。該方式は、関連技術の制御情報のフォーマットを変更する必要なく、制御情報の送信順序を制御して各制御情報に対応する周波数点を示す。
【０１４４】
別の選択可能な方法では、標準規格の制御情報を若干変更する。任意選択的に、標準規格の制御情報に、周波数点指示情報を追加する。例えば、標準規格の制御情報におけるリザーブドビットを、周波数点指示として使用してもよい。発送側ＵＥの送受信機Ｓ２が第１の周波数点の物理制御チャネルで送信する第１の制御情報は、第２の周波数点の指示情報を含み、第２の制御情報は、第１の周波数点の指示情報を含む。受信端ＵＥのプロセッサは、各制御情報中の周波数点指示情報に基づいて、各制御情報に対応する周波数点を特定し、第１の制御情報と第２の制御情報を区別することができる。該方式は、標準規格の制御情報を若干変更することにより、各制御情報に対応する周波数点を示すことができる。
【０１４５】
図４は送信端末ＵＥの概略構成を示している。ＵＥは、送受信機１０１、プロセッサ１０２、バス１０４、及びメモリ１０３を備え、送受信機１０１は、他のＵＥとの双方向通信に用いられ、プロセッサ１０２は、前記の図１における送信端末ＵＥ１の対応する機能の実行をサポートするように構成される。メモリ１０３は、プロセッサ１０２と結合され、図１の送信端末ＵＥ１に必要なプログラムコマンドおよびデータを記憶する。
【０１４６】
図５は受信端末ＵＥの概略構成を示している。ＵＥは、送受信機２０１、プロセッサ２０２、バス２０４、及びメモリ２０３を備え、送受信機２０１は、他のＵＥとの双方向通信に用いられ、プロセッサ２０２は、前記の図１における送信端ＵＥ２の対応する機能の実行をサポートするように構成される。メモリ２０３は、プロセッサ２０２と結合され、図１の受信端ＵＥ２に必要なプログラムコマンドおよびデータを記憶する。
【０１４７】
例示的な実施形態は、さらに、コマンドを含むメモリなどの、コマンドを含む非一時的なコンピュータ可読記憶媒体を提供する。前記コマンドはプロセッサによって実行されると、上述した方法を実現させる。上述した非一時的なコンピュータ可読記憶媒体は、リードオンリーメモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、テープ、光記憶装置などであってもよい。
【０１４８】
当業者は、本明細書に開示された実施例で説明された各例のユニット及びアルゴリズムステップが、電子ハードウェア、又はコンピュータソフトウェアと電子ハードウェアとの組合せで実現可能であることを認識できる。これらの機能がハードウェアで実行されるか、又はソフトウェアで実行されるかは、技術案の特定の適用及び設計制約に依存する。当業者は、説明された機能を実施するために、特定の適用例ごとに異なる方法を使用してもよい。そのような実施は、本開示の範囲から逸脱すると見なされるべきではない。当業者であれば、説明の便宜及び簡潔のために、上記説明したシステム、装置及びユニットの具体的な動作過程は、上記方法の実施例における対応するプロセスを参照してもよいと理解できる、ここで、その説明は省略する。
【０１４９】
本開示により提供される実施例では、開示される方法、製品（装置、機器を含むがこれらに限定されない）は、他の形態で実施されてもよいことが理解されるべきである。例えば、上述した装置の実施例は単なる例示であり、例えば、説明されたユニットの仕分けは、論理機能による仕分けにすぎず、実際に実装される場合、他の仕分けを採用してもよい。例えば、複数のユニット又は構成要素が別のシステムに結合されるか、統合されてもよく、又は、一部の特徴が省略されても、実行されなくてもよい。別の点において、示された又は検討された相互間の結合又は直接的な結合又は通信接続は、電気的、機械的又は他の形態の、何らかのインターフェース、装置又はユニットを介した間接的な結合又は通信接続であってもよい。上記の分離手段として説明された手段は、物理的に分離されても、又は分離されなくてもよく、手段として示された部材は、物理的なユニットであっても、又は物理的なユニットではなくてもよい。すなわち、一箇所に位置してもよく、または複数のネットワーク要素に分散されてもよい。なお、本実施例の目的を達成するために、必要に応じて、その一部又は全部を選択することができる。また、本発明の各実施例における各機能部は、１つの処理ユニットに集積されていてもよいし、各機能部が物理的に別々に存在してもよいし、２以上の機能部が１つの処理ユニットに集積されてもよい。
【０１５０】
また、これらの機能がソフトウェア機能ユニットとして実現され、独立した製品として販売又は利用される場合には、コンピュータ可読記録媒体に格納されてもよい。このような理解に基づいて、本開示の技術案の本質的な部分、換言すれば、従来技術に寄与する部分は、ソフトウェア製品の形で具現化することができ、該コンピュータソフトウェア製品は、記憶媒体に記憶され、本開示の各実施例に記載された方法のステップの全てまたは一部を、コンピュータ装置（パーソナルコンピュータ、サーバ、又はネットワーク装置などであってよい）に実行させるための若干のコマンドを含む。なお、上記の記憶媒体としては、Ｕディスク、モバイルハードディスク、ＲＯＭ、ＲＡＭ、磁気ディスク、光ディスクなど種々のプログラム・コードを記憶できるものが含まれる。
【０１５１】
当業者は、上記実施例を実現する方法の全部又は一部の流れが、コンピュータプログラムによって関連するハードウェアを制御することによって実現され、前記プログラムはコンピュータ読取可能記憶媒体に記憶され、該プログラムが実行されると、上記各方法の実施例のような流れを含んでもよいことが理解できる。ここで、記憶媒体は、磁気ディスク、光ディスク、ＲＯＭ、ＲＡＭなどであってもよい。
【０１５２】
図面のフローチャート及びブロック図は、本開示の複数の実施形態に係わるシステム、方法、及びコンピュータプログラム製品の可能な実装のアーキテクチャ、機能、および動作を示すことが理解されるべきである。この点に関して、フローチャート又はブロック図における各ブロックは、指定された論理機能を実施するための１つ又は複数の実行可能命令を含むモジュール、プログラムセグメント、又はコードの一部を表すことができる。いくつかの代替的な実装形態では、ブロックに記された機能は、図に記された順序とは異なる順序で生じ得ることにも留意されたい。例えば、２つの連続するブロックは、実際には、実質的に並列に実行されてもよく、時には、含まれる機能に応じて、逆順に実行されてもよい。ブロック図及び／又はフローチャートの各ブロック、およびブロック図および／又はフローチャートのブロックの組み合わせは、規定の機能又は動作を実行するための専用ハードウェアベースのシステムで実現されてもよく、又は専用ハードウェアとコンピュータ命令との組み合わせで実現されてもよい。これらのモジュールは、前記の方法を実施するように設定された１つ又は複数の集積回路であってもよく、例：１つ以上の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ以上のマイクロプロセッサ（ｄｉｇｉｔａｌ  ｓｉｇｎａｌ  ｐｒｏｃｅｓｓｏｒ、ＤＳＰ）、又は１つ以上のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）など。また、上記モジュールが処理要素スケジューリング・プログラム・コードの形態で実現される場合、該処理要素は、例えば、中央処理装置（Ｃｅｎｔｒａｌ  Ｐｒｏｃｅｓｓｉｎｇ  Ｕｎｉｔ、ＣＰＵ）のような汎用プロセッサ、またはプログラム・コードを呼び出してもよい他のプロセッサであってもよい。また、これらのモジュールを統合して、システムオンチップ（ｓｙｓｔｅｍ−ｏｎ−ａ−ｃｈｉｐ、ＳＯＣ）の形式で実現されてもよい。本開示は、前記に記載され、図面に示されているプロセスおよび構造に限定されず、その範囲から逸脱することなく、様々な修正および変更を行うことができる。本開示の範囲は、添付の特許請求の範囲によってのみ制限される。
【０１５３】
〔関連出願の相互参照〕
【０１５４】
本出願は、２０１８年０８月０６に中国に出願された、出願番号が２０１８１０８８６５９４．９である中国特許出願を基礎出願とする優先権を主張し、その開示内容の全てが参照により本出願に組み込まれる。
【図１】
2021532695.tif 000003
【図２】
2021532695.tif 000004
【図３】
2021532695.tif 000005
【図４】
2021532695.tif 000006
【図５】
2021532695.tif 000007
【図６】
2021532695.tif 000008
【図７】
2021532695.tif 000009
【図８】
2021532695.tif 000010
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）は、第１の周波数点の物理制御チャネルのリソースを決定するステップと、
前記ＵＥは、前記第１の周波数点の物理制御チャネルで第１の制御情報を送信するステップと、を有する、ユーザ機器間の通信のための方法であって、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、方法。
【請求項２】
前記第１の制御情報は、さらに、前記第１の周波数点の周波数点指示情報及び／又はリソース指示情報を含み、前記第１の周波数点の周波数点指示情報は、前記第１の周波数点を示すことに用いられ、前記第１の周波数点のリソース指示情報は、前記第１の周波数点で割り当てられた／予約されたリソースを示すことに用いられる、請求項１に記載の方法。
【請求項３】
前記ＵＥが前記第１の周波数点の物理制御チャネルで第２の制御情報を送信するステップをさらに有し、
前記第２の制御情報は、前記第１の周波数点の周波数点指示情報及び／又はリソース指示情報を含み、前記第１の周波数点の周波数点指示情報は、第１の周波数点を示すことに用いられ、前記第１の周波数点のリソース指示情報は、第１の周波数点で割り当てられた／予約されたリソースを示すことに用いられ、
前記第１の制御情報と前記第２の制御情報のフォーマット又はサイズが同じであり、又は、前記第１の制御情報と第２の制御情報のフォーマット及びサイズが両方とも異なる、
請求項１に記載の方法。
【請求項４】
前記第１の制御情報と前記第２の制御情報のフォーマット又はサイズが同じである場合、
前記第１の制御情報における独立した領域は、周波数点指示情報及び／又はリソース指示情報として用いられる、又は、
前記第１の制御情報におけるリザーブドビット（ｂｉｔ）は、周波数点指示情報及び／又はリソース指示情報として用いられる、又は、
前記第１の制御情報における設定された領域は、周波数点指示情報及び／又はリソース指示情報として用いられる、又は、
周波数点指示情報及び／又はリソース指示情報が、前記第１の制御情報のうちの少なくとも１つの他の領域と共同符号化される、又は、
周波数点指示情報及び／又はリソース指示情報が、第１の制御情報の巡回冗長検査ＣＲＣのスクランブル処理に用いられる、
請求項３に記載の方法。
【請求項５】
前記物理制御チャネルは、物理サイドリンク制御チャネル（ＰＳＣＣＨ）を含み、前記第２の周波数点で割り当てられた／予約されたリソースは、ＰＳＣＣＨリソース、又は物理サイドリンク共有チャネル（ＰＳＳＣＨ）リソース、又はＰＳＣＣＨリソースとＰＳＳＣＨリソースを含み、
前記ＵＥが第１の制御情報を送信した後、前記方法は、さらに、
前記第２の周波数点のＰＳＳＣＨでデータを送信すること、又は、
前記第２の周波数点のＰＳＣＣＨで制御データを送信すること、又は、
前記第２の周波数点のＰＳＳＣＨでデータを送信し、かつＰＳＣＣＨで制御データを送信することを含む、請求項１〜４のいずれか１項に記載の方法。
【請求項６】
前記ＵＥが以下の方式、即ち、
上位層の構成に応じて、前記第１の周波数点及び／又は第２の周波数点を決定する方式、
サービスの要求に応じて、前記第１の周波数点及び／又は第２の周波数点を選択する方式、
設定の優先順位に応じて、前記第１の周波数点及び／又は第２の周波数点を選択する方式、
信号強度又は品質に応じて、前記第１の周波数点及び／又は第２の周波数点を選択する方式、
周波数点の干渉状況又は占有率に応じて、前記第１の周波数点及び／又は第２の周波数点を選択する方式、
ネットワーク構成に応じて、前記第１の周波数点及び／又は第２の周波数点を決定する方式、
前記第１の周波数点及び／又は第２の周波数点をランダムに選択する方式、
擬似ランダム関数に応じて、前記第１の周波数点及び／又は第２の周波数点を決定する方式、
のうちの１つ又は複数の方式で第１の周波数点及び／又は第２の周波数点を決定するステップをさらに有する、請求項１〜４のいずれか１項に記載の方法。
【請求項７】
各周波数点は、１つのキャリア（ＣＣ）、又は１つの帯域幅部分（ＢＷＰ）、又はリソースプールである、請求項１〜４のいずれか１項に記載の方法。
【請求項８】
ユーザ機器間通信のための方法であって、
ユーザ機器（ＵＥ）が第１の周波数点で物理制御チャネルをセンシング及び／又はリスニングし、第１の制御情報を取得するステップを有し、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、方法。
【請求項９】
前記物理制御チャネルは、物理サイドリンク制御チャネル（ＰＳＣＣＨ）を含み、前記第２の周波数点で割り当てられた／予約されたリソースは、ＰＳＣＣＨリソース、又は物理サイドリンク共有チャネル（ＰＳＳＣＨ）リソース、又はＰＳＣＣＨリソースとＰＳＳＣＨリソースを含む、請求項８に記載の方法。
【請求項１０】
前記ＵＥは、前記第１の制御情報の指示に基づいて、前記第２の周波数点の物理サイドリンク制御チャネルＰＳＣＣＨをリスニングし、復調して第３の制御情報を取得するステップ、又は、
前記ＵＥは、前記第１の制御情報の指示に基づいて、前記第２の周波数点の物理サイドリンク共有チャネルＰＳＣＣＨを受信するステップ、又は、
前記ＵＥは、前記第１の制御情報の指示に基づいて、前記第２の周波数点のＰＳＣＣＨをリスニングし、復調して第３の制御情報を取得し、かつ第２の周波数点のＰＳＳＣＨを受信するステップを、さらに有し、
前記第３の制御情報は、第２の周波数点のＰＳＳＣＨリソース指示情報を含み、
前記方法は、さらに、
前記ＵＥが、前記第３の制御情報の指示に基づいて、第２の周波数点のＰＳＳＣＨを受信するステップ、又は、
前記ＵＥが、前記第３の制御情報に示される前記第２の周波数点のＰＳＳＣＨリソースを、第１の制御情報に示される前記第２の周波数点のＰＳＳＣＨリソースと比較し、両者が異なる場合、プリセット動作を実行するステップを、有する請求項８に記載の方法。
【請求項１１】
前記ＵＥは、前記第１の制御情報及び／又は第３の制御情報に示される周波数点から１つ又は複数の周波数点を選択して、ＰＳＳＣＨを受信するステップをさらに有し、
前記ＵＥは、優先順位、サービス品質（ＱｏＳ）、伝送モードのうちの少なくとも１つに基づいて、１つ又は複数の周波数点を選択して、ＰＳＳＣＨを受信する、請求項１０に記載の方法。
【請求項１２】
前記ＵＥは、第２の周波数点での利用可能なリソースを報告するステップをさらに有する、請求項８〜１１のいずれか１項に記載の方法。
【請求項１３】
前記第１の周波数点は、第１のｓｉｄｅｌｉｎｋ伝送モードの周波数点であり、前記第２の周波数点は、第２のｓｉｄｅｌｉｎｋ伝送モードの周波数点であり、又は、前記第１の周波数点及び前記第２の周波数点は、いずれも第１のｓｉｄｅｌｉｎｋ伝送モードの周波数点である、請求項８〜１１のいずれか１項に記載の方法。
【請求項１４】
プロセッサと送受信機を備えるユーザ機器であって、
前記プロセッサは、第１の周波数点の物理制御チャネルリソースを決定することに用いられ、
前記送受信機は、前記第１の周波数点の物理制御チャネルで第１の制御情報を送信することに用いられ、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、ユーザ機器。
【請求項１５】
送受信機を備えるユーザ機器であって、
前記送受信機は、第１の周波数点で物理制御チャネルをセンシング及び／又はリスニングするための第１のユニットと、
物理制御チャンネルから第１の制御情報を取得するための第２のユニットと、を備え、
前記第１の制御情報は、第２の周波数点の周波数点指示情報及び／又はリソース指示情報を含み、前記第２の周波数点の周波数点指示情報は、前記第２の周波数点を示すことに用いられ、前記第２の周波数点のリソース指示情報は、前記第２の周波数点で割り当てられた／予約されたリソースを示すことに用いられる、ユーザ機器。
【国際調査報告】
2021532695.tif 000011
2021532695.tif 000012
2021532695.tif 000013
2021532695.tif 000014